(57)【要約】【課題】メディアに記憶された多数の画像データの中から希望する画像を容易に選択可能な画像読み取り方法、画像読み取りシステム、およびこれを備えた注文装置を提供する。【解決手段】メディアＡから画像データを読み取る画像読み取りシステムであって、画像データの有する属性のみを読み取る属性読取部２２２と、読み取られた属性の情報に基づき、属性のグループ化を行う属性グループ化部２２３と、属性のグループを表示するモニター１２と、表示された属性のグループのうちいずれかをユーザに選択可能にするタッチパネル１３と、選択されたグループの属性を有する画像データのみをメディアＡから読み取る画像読取部２２４と、を備える。【選択図】図２
2010225030.tif 000002
【特許請求の範囲】
【請求項１】
メディアから画像データを読み取る画像読み取り方法であって、
前記画像データそのものを読み取る前に、前記画像データの有する属性のみを読み取る属性読み取りステップと、
読み取られた前記属性の情報に基づき、前記属性のグループ化を行う属性グループ化ステップと、
前記属性のグループを表示手段に表示する表示ステップと、
表示された前記属性のグループのうちいずれかをユーザに選択可能にする選択ステップと、
選択された前記グループの属性を有する画像データのみを前記メディアから読み取る画像読み取りステップと、を備える画像読み取り方法。
【請求項２】
前記属性は、前記画像データの撮影日時情報および／または編集日時情報である請求項１に記載の画像読み取り方法。
【請求項３】
前記属性は、前記メディアに記憶されている総画像データ数の情報であって、
読み取られた前記総画像データ数の情報に基づき、前記属性を所定数毎に分類してグループ化を行う請求項１または２に記載の画像読み取り方法。
【請求項４】
メディアから画像データを読み取る画像読み取りシステムであって、
前記画像データの有する属性のみを読み取る属性読み取り手段と、
読み取られた前記属性の情報に基づき、前記属性のグループ化を行う属性グループ化手段と、
前記属性のグループを表示する表示手段と、
表示された前記属性のグループのうちいずれかをユーザに選択可能にする選択手段と、
選択された前記グループの属性を有する画像データのみを前記メディアから読み取る画像読み取り手段と、を備える画像読み取りシステム。
【請求項５】
画像データに基づく写真プリント注文を受け付ける注文装置であって、請求項４に記載の画像読み取りシステムを備えた注文装置。
【発明の詳細な説明】
【技術分野】
【０００１】
本発明は、メディアから画像データを読み取る画像読み取り方法、画像読み取りシステム、およびこれを備えた注文装置に関する。
【背景技術】
【０００２】
写真店（ミニラボ店とも称される。）では、顧客がデジタル画像データを持ち込み、店内に設置された注文装置で顧客自らが写真プリントの注文を行なえる。この注文装置として、例えば、特許文献１が知られている。
【０００３】
特許文献１の画像受付装置における注文操作は、先ず、デジタル画像データが記憶されたメディアからデジタル画像データを読み込み、コマ画像として表示させ、次いで、プリント対象を選択し、プリント枚数、プリントサイズ、所定の補正処理等を選択し、注文を確定する流れである。写真プリントの仕上がりタイプも選択可能であり、このタイプとしては、コマ画像ごとに１枚の写真を形成するタイプや、複数のコマ画像を１枚の写真に規則性を持って配置したインデックスプリントや、最終的にアルバム編集されるためにプリントされるアルバムプリントと称されるタイプもある。
【先行技術文献】
【特許文献】
【０００４】
【特許文献１】特開２００６−１０３１００号公報
【発明の概要】
【発明が解決しようとする課題】
【０００５】
近年、メディアの高容量化に伴い、非常に多くのデジタル画像データがひとつのメディアに含まれるようになっている。
【０００６】
しかしながら、多くのデジタル画像データの含まれるメディアを特許文献１に示されるようの注文装置に入力した場合、注文装置がデジタル画像データを読み取るまでの時間が長くなってしまい、顧客にストレスを与えてしまう。
【０００７】
本発明は、上記実情に鑑みてなされたものであり、その目的は、メディアに記憶された多数の画像データの中から実際に読み取る画像データの数を減らすことができる画像読み取り方法、画像読み取りシステム、およびこれを備えた注文装置を提供することにある。
【課題を解決するための手段】
【０００８】
上記課題を解決するため本発明に係る画像読み取り方法は、
メディアから画像データを読み取る画像読み取り方法であって、
前記画像データそのものを読み取る前に、前記画像データの有する属性のみを読み取る属性読み取りステップと、
読み取られた前記属性の情報に基づき、前記属性のグループ化を行う属性グループ化ステップと、
前記属性のグループを表示手段に表示する表示ステップと、
表示された前記属性のグループのうちいずれかをユーザに選択可能にする選択ステップと、
選択された前記グループの属性を有する画像データのみを前記メディアから読み取る画像読み取りステップと、を備えることを特徴とする。
【０００９】
かかる構成を有する画像読み取り方法の作用・効果を説明する。メディアには、通常複数の画像データが記憶されている。画像データは、例えば、画像、文字、記号、またはそれらの組み合わせで構成されるデジタルデータが挙げられる。また、各画像データには、それぞれ属性を持たせている。ここで、属性とは、画像データに関する情報であって、例えば、撮影年月日、撮影場所、編集年月日、総画像データ数、ファイル形式など様々な情報が含まれる。
【００１０】
本発明では、初めに、画像データそのものは読み取らず、画像データの有する属性のみを読み取り、読み取った属性の情報に基づいて、複数の属性をいくつかのグループにグループ化（分類）する。属性のグループは、例えば、撮影日別、撮影場所別などに分けられる。この属性のグループは、表示手段に表示され、ユーザはその中からいずれかのグループを選択することができる。そして、選択されたグループの属性を有する画像データのみをメディアから読み取る。すなわち、この構成によれば、メディアから画像データそのものを読み取る前に、画像データの有する属性のみを読み取り、その属性をグループ単位で選択することで初めてそのグループの属性を有する画像データを読み取る。これにより、メディアの全ての画像データの中からグループ単位で選択された画像データのみを読み取るので、メディアから全ての画像データをそのまま読み取る場合に比べ、メディアに記憶された多数の画像データの中から実際に読み取る画像データの数を減らすことができる。
【００１１】
本発明の画像読み取り方法において、前記属性は、前記画像データの撮影日時情報および／または編集日時情報であることが好ましい。
【００１２】
この構成によれば、複数の画像データの属性を撮影日および／または編集日でグループ化することができ、選択された日付のグループの属性を有する画像データのみがメディアから読み取られる。その結果、メディアに記憶された多数の画像データの中から実際に読み取る画像データの数を減らすことができる。
【００１３】
本発明の画像読み取り方法において、前記属性は、前記メディアに記憶されている総画像データ数の情報であって、
読み取られた前記総画像データ数の情報に基づき、前記属性を所定数毎に分類してグループ化を行うことが好ましい。
【００１４】
この構成によれば、属性は、メディアに記憶されている総画像データ数の情報なので、この総画像データ数の情報を読み取り、属性を所定数毎に分類してグループ化を行い、この属性のグループは表示手段に表示され、ユーザはその中からいずれかのグループを選択することができる。これにより、例えば、撮影日の新しいものから１〜５０枚の画像のグループ、撮影日の新しいものから５１〜１００枚の画像のグループ等のように属性のグループ化が行われ、これらのグループからユーザはいずれかのグループを選択することができ、その結果、メディアに記憶された多数の画像データの中から実際に読み取る画像データの数を減らすことができる。
【００１５】
上記課題を解決するため本発明に係る画像読み取りシステムは、
メディアから画像データを読み取る画像読み取りシステムであって、
前記画像データの有する属性のみを読み取る属性読み取り手段と、
読み取られた前記属性の情報に基づき、前記属性のグループ化を行う属性グループ化手段と、
前記属性のグループを表示する表示手段と、
表示された前記属性のグループのうちいずれかをユーザに選択可能にする選択手段と、
選択された前記グループの属性を有する画像データのみを前記メディアから読み取る画像読み取り手段と、を備えることを特徴とする。
【００１６】
かかる構成を有する画像読み取りシステムの作用・効果は、上記で述べた通りである。
【００１７】
また、上記課題を解決するため本発明に係る注文装置は、
画像データに基づく写真プリント注文を受け付ける注文装置であって、上記の画像読み取りシステムを備えたことを特徴とする。
【００１８】
かかる構成を有する注文装置の作用・効果は、上記で述べた通りであり、メディアに記憶された多数の画像データの中から実際に読み取る画像データの数を減らすことができ、注文装置がデジタル画像データを読み取るまでの時間が短くて済み、写真プリント注文を行うユーザのストレスを軽減することができる。
【図面の簡単な説明】
【００１９】
【図１】写真処理システムの一例について説明するための図
【図２】注文装置の機能構成について説明するための図
【図３】注文操作のフローチャート
【図４】注文操作画面の一例について説明するための図
【図５】注文操作画面の一例について説明するための図
【図６】注文操作画面の一例について説明するための図
【図７】注文操作画面の一例について説明するための図
【図８】注文操作画面の一例について説明するための図
【図９】注文操作画面の一例について説明するための図
【図１０】注文操作画面の一例について説明するための図
【図１１】注文操作画面の一例について説明するための図
【図１２】注文操作画面の一例について説明するための図
【図１３】注文操作画面の一例について説明するための図
【図１４】注文操作画面の一例について説明するための図
【図１５】注文操作画面の一例について説明するための図
【図１６】注文操作画面の一例について説明するための図
【図１７】注文操作画面の一例について説明するための図
【発明を実施するための形態】
【００２０】
本発明に係る注文装置の好適な実施形態を、図面を用いて説明する。図１は、写真店に設置される写真処理システムの構成の一例を示している。プリンタの種類、設置台数は図１に限定されない。また、画像処理装置５、プリント注文受付のための注文装置１の設置台数も図１に限定されない。写真処理システムを構成するそれぞれの装置はお互いがＬＡＮ等のネットワークによって接続されている。
【００２１】
＜システムの構成＞
この写真処理システムは、写真プリントの作成や記憶媒体への画像書き込みといった画像記録を行うためのシステムである。写真プリントの注文に係る画像データは、顧客が自ら持参した記憶媒体（以下ではメディアと称する）に記憶されている。顧客は、注文装置１を操作し、メディアに記憶された画像データに基づく写真プリントの注文を行なえる。また、注文に係る画像データは、ネガフィルムからスキャナー（不図示）を用いて読みとることもできる。また、注文者が自宅のＰＣや携帯端末からインターネットを経由し、写真店のサーバにアクセスし注文する、いわゆるオンラインプリント注文も可能である。オンラインプリント注文は公知の構成であり詳細な説明は省略する。
【００２２】
銀塩式プリンタは、画像データに基づいて写真プリントの作成を行える。写真プリントの作成を行う場合は、プリント用に処理されたプリント用画像データを露光エンジンに送信し、ペーパー等の写真感光材料に画像を焼付露光する。画像が焼付露光されたペーパーを現像処理することで、写真プリントを作成することができる。
【００２３】
インクジェットプリンタは、各種データ通信のための通信部を備え、この通信部は、画像処理装置５からプリント用画像データを受信し、メモリに保存する。また、インクジェットプリンタは、ＲＩＰ処理部を有し、このＲＩＰ処理部はＲＩＰ処理を実行する機能である。ＲＩＰ処理部は、写真プリント処理に係るＲＧＢ画像データのプリント用画像データを、ＲＩＰ処理し、ＣＭＹＫごとのグレースケールデータに展開する。そして、印刷部は、ＣＭＹＫごとのグレースケールデータに基づいて印刷処理する。印刷部は、ＣＭＹＫのそれぞれのプリントヘッドを備えている。プリントヘッドは、間欠搬送される用紙に対し、プリントヘッドが主走査方向に一走査し、この走査時に、各色のインク吐出ノズルからインクが吐出し、用紙の表面に付着する。この間欠搬送、主走査動作およびインク吐出動作を繰り返すことで、用紙の印刷領域に画像が形成される。インク吐出の方法としては、インクが充填された圧力室内の容積がピエゾ素子によって変化することで、圧力室に連通するインク吐出ノズルからインクを吐出する一般的なピエゾ方式が例示される。
【００２４】
また、不図示の媒体書き込み装置は、ＣＤ−Ｒ（記憶媒体の一例）等のメディアに画像データの書き込みを行う機能を有する。画像処理装置５から画像データを媒体書き込み装置に送信することで、ＣＤ−Ｒ等のメディアに画像データを書き込むことができる。
【００２５】
（注文装置）
注文装置１は、顧客により操作されるものであり、画像データの受付と注文内容の設定等を行うことができる。注文装置１は、それ自身が画像形成プリンタの機能を有していてもよい。例えば、熱昇華型のプリンタを内蔵している。この場合、ネットワークに接続された他の装置と関係なく、独立してプリント処理を行うこともできる。注文装置１は、画像形成用のプリンタを内蔵していない場合、あるいは他のプリンタで写真プリント（またはメディアへの書込み処理）をする場合には、ネットワーク経由で画像処理装置５あるいは直接にプリンタ側にプリント対象の画像データを転送する。画像処理装置５については後述する。
【００２６】
注文装置１は、メディア駆動部１０を備えており、各種メディアＡに格納されている画像データを内部に取り込むことができる。メディアＡとしては、ＣＤ−Ｒ、デジタルカメラ用の記憶メディア、ＭＯディスクなどが例としてあげられる。また、フラットベッドスキャナー（不図示）により、写真フィルムのない写真プリントから画像データを取得することができる。また、注文装置１は、モニター１２を備えており、入力された画像データを画面に表示させることができる。また、注文内容の設定などは、モニター画面に設けられたタッチパネル１３により行うことができる。もちろん、キーボードやマウスなどの入力手段を設けてもよい。
【００２７】
注文装置１は、受付証発行部１１を備えており、注文内容が確定すると、受付証をプリントアウトする。受付証には、注文内容、課金情報、顧客情報などがプリントされる。この受付証を写真店の担当者に渡すことで、画像記録や料金支払いなどが行われる。
【００２８】
注文装置１の構成を図２の機能ブロック図により説明する。注文装置１は、システムＣを備えており、各種ハードウェアとはインターフェースを介して接続される。すなわち、メディア駆動部１０、受付証発行部１１、モニター１２、タッチパネル１３、ハードディスク１４がインターフェースを介して接続される。ハードディスク１４は、メディア駆動部１０を介して取得した画像データを一時的に保存することができる機能を有してしいる。また、ハードディスク１４に、オーダー情報を保存しておくこともできる。ハードディスク１４は、大容量保存手段としての機能の他にＣＰＵ実行の際の作業領域として機能してもよい。また、システムＣ側には不図示のＣＰＵまたはＭＰＵ、メモリ（ＲＯＭ、ＲＡＭ等）が具備されている。
【００２９】
インクジェットプリンタにより写真プリントの作成を行う場合は、適宜のタイミングで画像データを含む注文に関するオーダー情報のデータを、ネットワーク・インターフェース１５を介してネットワークへ送出し、画像処理装置５または直接に各種プリンタに送信する構成である。
【００３０】
基本処理手段２０は、複数種の注文処理に共通に用いられる基本処理を実行する機能である。基本処理は、例えば、記憶媒体からの画像データ読み取り処理、カートの管理、プリンタの操作処理、各種データ転送処理が挙げられる。基本処理手段２０は、例えば、基本制御部２２、基本ＧＵＩ部２１の機能を有する。
【００３１】
基本処理手段２０の基本制御部２２の機能について以下に説明する。メディアから画像データを読み取る処理は、サービス処理手段による注文処理手順に依存せずに、または注文処理操作中いつでも実行できる。
【００３２】
検知部２２１は、メディアＡがメディア駆動部１０に挿入されたことを示す信号を検知する。検知部２２１がメディアＡの挿入を検知すると、属性読取部（属性読み取り手段に相当）２２２は、メディアＡに記憶されている画像データのうち、画像データそのものは読み取らず、各画像データの有する属性のみを読み取る。属性とは、例えば、撮影年月日、撮影場所、編集年月日、総画像データ数、ファイル形式などの情報である。属性は、各画像データに対応付けて記憶されたＥｘｉｆデータから判断することができる。Ｅｘｉｆデータには、例えば各画像データの撮影日時、各画像データに対する編集日時、各画像データに対する縮小処理により得られるサムネイル画像データなどが含まれる。また、Ｅｘｉｆデータには、ＧＰＳ情報に基づく各画像データの撮影された撮影場所が含まれてもよい。
【００３３】
属性読取部２２２が読み取った各画像データの属性は、属性の情報に基づいて、属性グループ化部（属性グループ化手段に相当）２２３によっていくつかのグループに分類される。属性のグループは、例えば、撮影年月日の情報を基に撮影日別に分類され、撮影場所の情報を基に撮影場所別に分類され、編集年月日の情報を基に編集日別に分類される。また、メディアＡに記憶されている総画像データ数と撮影年月日の情報を基に、例えば、撮影年月日の新しいものから５０枚単位のグループに分類されるようにすることもできる。なお、属性をグループに分類する場合には、ひとつの画像データの有する属性が、任意の撮影日グループに分類され、同時に任意の撮影場所グループに分類されることも当然可能である。
【００３４】
属性グループ化部２２３がグループ化した属性のグループは、基本ＧＵＩ部２１の属性表示部２１１の機能によって、モニター１２の画面に表示される。その表示の一例として図１７のようなグループ毎にフォルダ１７０１が表示される例を示す。ここでは、撮影日別のグループを画面に表示する例を示すが、撮影場所別のグループを画面に表示するようにしてもよいし、撮影日別と撮影場所別のグループを画面に同時に表示してもよく、さらに別のグループを同時に表示するようにしてもよい。
【００３５】
モニター１２に表示されたグループは、ユーザがタッチパネル１３などの選択手段を用いていずれかを選択することができる。そして、画像読取部（画像読み取り手段に相当）２２４は、選択されたグループの属性を有する画像データのみをメディアＡから読み取る。読み取られた画像データはハードディスク１４に保存される。
【００３６】
読み取られた画像データの画像は、基本ＧＵＩ部２１の一覧表示部２１２の機能によって、モニター１２の画面に表示される。その表示の一例として図１５、図１６が例示される。図１５は、読み取られた画像データの画像が一覧表示されている例を示し、図１６は、一覧表示された画像をさらに絞り込むための絞込み検索が可能な例を示している。
【００３７】
図１５のように、読み取られた画像データの画像は、表示エリア１５０３に表示される。表示エリア１５０３の任意の画像を指示すれば（２重枠の１５０３ａ）は、拡大画像が拡大表示エリア１５０４に表示される。「展開」ボタン１５０５を指示すれば、表示エリア１５０３に表示されている画像が、実行中のサービス処理手段の注文処理に、展開部２２６の機能によって反映される。その詳細は後述する。
【００３８】
また、図１６のように、表示エリア１５０３に表示された画像をさらに絞り込むことができるように構成してもよい。絞込み検索部２２５は、各種絞り込み条件１５０１に応じて画像データを絞り込む機能である。例えば、「すべて」を指示（タッチ）し、「写真の絞り込み」１５０２を指示すれば、すべての画像が表示エリア１５０３に表示される。「撮影日」を指示すると、さらに絞り込み条件「昨日と今日」、「最近１週間」、「最近１ヶ月」等が表示され（不図示）、例えば「最近１週間」を指示し、「写真の絞り込み」１５０２を指示すれば、最近１週間の撮影日の画像のみが表示エリア１５０３に表示される。例えば、ある選択された撮影場所のグループの属性を有する画像データの画像一覧を、さらに「撮影日」の条件で絞り込むことができる。拡大表示エリア１５０４、「展開」ボタン１５０５については図１５と同様である。
【００３９】
サービス処理手段４０、５０、６０は、サービス内容に応じた注文処理を実行する機能であり、例えば、普通プリント、アルバムプリント、コラージュプリント、シャッフルプリント、名刺プリント、はがきプリント、各種サイズによるコレクションプリント、写真集、各種記憶媒体への書き込み処理単位に構成される。サービス処理手段のそれぞれは、その他のサービス処理手段と独立して機能し、任意のサービス処理手段の変更が、その他のサービス処理手段に影響を与えることがないように構成されている。例えば、サービス処理手段４０は、フーダプリントの注文処理機能であり、サービス処理手段５０は、アルバムプリント、サービス処理手段６０は、コラージュプリントの注文処理機能として構成できる。他のサービスも任意に注文装置１に追加できる。
【００４０】
サービス処理手段４０を例にして説明する。サービス処理手段４０は、例えば、画像処理部（不図示）、サービス制御部４２、サービスＧＵＩ部４１の機能を有する。
【００４１】
サービス制御部４２の体験モード制御部４２１は、注文者の画像データを用いずに、サンプル画像データを用いて注文操作を体験できる機能である。初期設定として体験モードに設定されている。注文者は、自由なタイミングでメディアを挿入し、画像データを注文装置１に読み取らせ、サンプル画像データと入れ替えることができる。展開部２２６の機能によって、メディアから読み取られて選択された画像データがサービス処理手段４０の注文操作に反映され、その画像データがサンプル画像データと入れ替わり、体験モードは終了する。
【００４２】
基本ＧＵＩ部２１、サービスＧＵＩ部４１は、モニター１２に表示させる注文処理操作の表示内容を制御し、注文受付操作を顧客が行い易いように、種々の操作に係る表示画面を提供する。操作画面のデータは不図示のメモリに保存されている。
【００４３】
共有ライブラリ手段３０は、基本処理手段２０とサービス処理手段４０、５０、６０が共有で使用し、かつサービス処理手段４０、５０、６０の独立性を低下させないような機能や処理を実行する機能である。
【００４４】
システムＣの各機能は、例えば、コンピュータプログラムとＣＰＵおよびメモリ等の協働作用により実現することができ、このプログラムは、不図示のＲＯＭに記憶されている。また、システムＣを専用回路、ファームウエア等で構成してもよく、それらの組み合わせ構成としてもよい。また、基本処理手段２０を専用回路、ファームウエア等で構成してもよく、サービス処理手段４０、５０、６０をコンピュータプログラムとＣＰＵおよびメモリ等の協働作用により実現してもよい。
【００４５】
（画像処理装置）
画像処理装置５は、オーダー単位に画像データを管理する機能を有している。また、オーダー単位に写真プリント処理、メディアへの書込み処理を制御する機能を有している。以下において、画像処理装置５の主要な構成要素の一例について説明するが、これに限定されない。
【００４６】
画像処理装置５は、不図示のオーダー情報保存手段を備え、オーダー情報を保存する機能を有している。また、画像処理装置５は、写真プリント注文に係る画像データやオーダー情報を管理制御するオーダー管理手段を備えている。オーダー管理手段は、プリント処理に関し、プリンタの設定、プリント順序等を設定できる。また、プリント順序に関し、モニターにオーダー情報を表示させ、プリント順序を変更する機能も有する。
【００４７】
オーダー情報保存手段は、後述するプレジャッジ処理されて設定された補正情報、画像データ、オーダー情報等を保存している。また、画像データは、補正情報に基づいて画像処理された後のデータでもよい。また、画像処理装置５は、各種操作画面を表示するためのモニター等の表示手段と、各種の入力用にキーボード、マウス等の入力手段を備える。
【００４８】
（ジャッジ処理）
ジャッジ手段は、画像データに対するプレジャッジ処理を実行する機能を有する。プレジャッジ処理において、所定数のコマ画像をモニターに表示し、コマ画像ごとにプリント条件を設定することができる。例えば、所定数（例えば、４コマ、６コマ）のコマ画像をモニターに表示し、表示されたコマ画像に対し、プリント枚数、プリントサイズ、画像の補正情報等のプリント条件を設定することができる。このプレジャッジ処理は必ず行なわなければならないものではなく、プレジャッジ処理を省略してプリント処理を行うことも可能である。注文装置１からのオーダー情報の画像データは、ジャッジ処理されてもよく、ジャッジ処理されなくてもよい。
【００４９】
ジャッジ手段は、例えば、色や濃度を補正するための補正情報を入力する機能を提供するものであり、かかる補正情報の入力は必要に応じて設定される。その他の補正情報の設定としては、赤目補正、逆光補正などの特殊補正の設定が例としてあげられる。設定された補正情報は、画像データ、オーダー情報に関連づけられてオーダー情報保存手段に保存される。
【００５０】
プリント用画像データ作成手段は、ジャッジ手段で設定されたプリント条件の補正データ、プリントサイズ等の補正情報に基づいて、それに対応する画像データを画像処理し、プリント用画像データ（ＲＧＢ画像データである）を作成する機能を有している。プリント用画像データ作成手段は、コンピュータプログラムと、ＣＰＵ、メモリ等ハードウェア資源との協働作用によって実現する構成や、また、専用回路で構成された画像処理基板での構成が例示される。画像処理基板としては、例えば、入力メモリ、画像処理回路部、展開メモリにより構成され、画像処理回路部において所定の画像処理が行なわれる。具体的には、プレジャッジ処理等の補正データに基づく色・濃度の補正、設定されたプリントサイズに従ったデータの拡縮処理などである。ここで作成されたプリント用画像データは、プリンタ側に通信手段によって送信される。
【００５１】
注文装置１から受信したオーダー情報の場合、ジャッジ処理されなくとも、プリント用画像データ作成手段によって、プリンタの種類に応じたプリント用画像データが作成される。なお、別実施形態として、注文装置１側から直接にプリンタ側にオーダー情報を送信し、プリンタ側で、プリント用画像データが作成されてもよい。
【００５２】
（写真プリントの注文処理フロー）
次に、図３のフローチャート、図４〜１６の注文操作画面を用いて注文処理について説明する。
【００５３】
図４のサービス選択画面が表示される。これは基本処理手段２０の機能による（ステップＳ１）。注文者は「ＦＵ：ＤＡ  フーダ」ボタン４０１を指示（タッチ）し、「サービス開始」ボタン４０２を指示する。これによって、図５の「ＦＵ：ＤＡ  フーダ」サービスの詳細画面に移行し、「自分名刺」５０１のサービスを選択する（ステップＳ２）。不図示のサービス説明画面が表示され（ステップＳ３）、基本処理手段２０から該当するサービス処理手段４０へ、サービス起動指令がなされる（ステップＳ４）。なお、図４において「カートを確認」ボタン４０３を指示すると図１４に示すようなカート画面が表示され、サービス単位に注文された注文内容が一覧表示される。
【００５４】
サービス処理手段４０は、サービス操作画面の表示を実行する（ステップＳ５）。ここで注文操作は、体験モードに設定されている。図６に示すようなプリント編集画面等の操作画面が表示され、注文者による画面操作が行われる（ステップＳ６、ステップＳ２０）。６０１ａは名刺の表の編集エリアを示し、６０１ｂは名刺の裏の編集エリアを示す。それぞれのエリアを指示（タッチ）して前面・裏面を切り替えて編集することができる。６０４は、プリント条件を変更するためのボタンエリアを示し、例えば「レイアウト」ボタンを指示すれば、レイアウト編集画面が表示され、任意のレイアウトを選択し、編集エリア６０１ａ、６０１ｂの表示に反映させることができる。
【００５５】
６０２は画像表示エリアである。「流し込み」ボタン６０３を指示して、不図示のメモリからサンプル画像データを読み出し、図７に示すように画像表示エリア６０２に一覧表示させることができる。また、「流し込み」ボタン６０３を指示せずに、マニュアル選択によって、サンプル画像データから、ドラッグ＆ドロップによって画像表示エリア６０２に表示させることができる。図８に示すように、画像表示エリア６０２の左先頭画像が名刺編集エリア６０１ａ、６０１ｂに表示される。表示エリア６０５には、他の画像を用いた名刺が表示される。
【００５６】
名刺編集エリア中の６０１ｃを指示して、図９に示すように、名前、住所等の文字情報を入力することができる。図９に示す９０１は、その右の表示内容を表示するか非表示にするかを選択指示するためのボタンである。９０２によって文字フォントを選択でき、９０３によって文字色を選択でき、９０４によって左揃え、中央揃え、右揃えを選択できる。文字編集エリア９０５において、９０６によって文字サイズを選択でき、９０７によって太文字か否かを選択できる。例えば、「名前」を指示することで、文字入力画面が表示され文字入力可能に構成されている。「ＯＫ」ボタン９０８で編集終了し、図１０の画面に移行する。図１０の画面の「ＯＫ」ボタン１００１を指示すれば、図１１のプリント注文内容確認画面に移行する。
【００５７】
図１１の画面中央には、図１０において表示されていた名刺の裏表が表示される。１１０５、１１０６の矢印を指示すると他のページの名刺（表示エリア６０５に表示されていた名刺）が表示される。画面上で「注文枚数」を入力することができる。「他のページに反映」ボタン１１０４を指示すれば、他のページの名刺の注文枚数も同じように入力される。「カートに追加」ボタン１１０１を指示して（ステップＳ２１）、図１３に示すカート登録中画面が表示され、図１４のカート画面に移行する。カート画面表示とその処理は、基本処理手段２０の機能による。
【００５８】
図１０の画面の「一覧表示」ボタン１１０３を指示すれば、図１２に示すような一覧表示のプリント注文内容確認画面が表示される。表示エリア１２０１には、表示エリア６０２に表示されていた名刺の全てが表示される。この中の任意の名刺を指示して、「ページ毎の表示」ボタン１２０４を指示して図１１の画面のように、当該任意の指示した名刺を表示できる。「カートに追加」ボタン１２０２を指示して（ステップＳ２１）、図１３に示すカート登録中画面が表示され、図１４のカート画面に移行する。
【００５９】
図１４のカート画面において、注文者は注文内容を確認する（ステップＳ２２）。１４０１は注文削除ボタンである。１４０２はサービス名称である。１４０３は商品表示欄である。１４０４は商品情報である。１４０５は注文数である。１４０６は個別料金である。「お客様情報入力」ボタン１４０７を指示して、お客様入力画面（不図示）を表示させてお客様情報（名前、電話番号等）を入力する（ステップＳ２３）。「注文確定」ボタン１４０８を指示して、注文を確定し、注文完了画面（不図示）を表示する（ステップＳ２４）。注文者は、注文を全て終了する場合には（ステップＳ２５）、受付証が発行され（ステップＳ２６）、オーダー情報が画像処理装置５に出力される（ステップＳ２７）。注文を終了しない場合には、ステップＳ１に戻り所望のサービスを選択指示する。
【００６０】
以上の体験モードによる注文操作フローは、注文装置１に保存しているサンプル画像データを用いた注文操作である。体験モードであっても注文完了しオーダー情報が出力され、サンプル画像データによる写真プリントが実行可能である。このように注文操作を一通り体験でき、また、実際に体験された注文者に仕上がりサンプル品を提供することで、注文装置による注文操作への関心を高め、注文装置をより効果的に運用できる。
【００６１】
（メディアから画像データを読み取る処理）
以下では、注文者のメディアから画像データを読み取る処理について詳しく説明する。注文装置１は、メディアからの画像読み取りタイミングを自由に設定してあり、注文操作中のいつのタイミングでも画像データを読み取ることができる。例えば、上述の図４から図１４までのいずれの操作画面中においても画像データの読み取りが可能である。
【００６２】
図３のフローチャートのステップＳ７において、メディアをメディア駆動部１０に挿入する。挿入された旨の信号を検知部２２１によって検知すると、属性読取部２２２が各画像データの有する属性を読み取る（ステップＳ８）。属性グループ化部２２３は、読み取られた各画像データの属性をグループ化する（ステップＳ９）。属性表示部２１１によって、その時点の操作画面から図１５に示すようなグループ選択画面に画面表示が切り替わるか、または、グループ選択画面が前面表示される（ステップＳ１０）。注文者は、モニター１２の画面を見ながら、複数のグループから希望のグループを選択する（ステップＳ１１）。画像読取部２２４は、注文者が選択したグループの属性を有する画像データのみをメディアＡから読み取り（ステップＳ１２）、一覧表示部２１２によって、図１５に示すように画像表示エリア１５０３に、読み取られた画像データの画像が一覧表示される（ステップＳ１３）。
【００６３】
注文者が図１６のような画面から画像検索を実行する場合（ステップＳ１４）、１５０１の絞り込み条件を指示して、「写真の絞り込み」ボタン１５０２を指示し、絞り込み検索し（ステップＳ１５−１）、画像表示エリア１５０３に表示し、所望の画像データが得られるまで繰り返す（ステップＳ１６、Ｓ１７、Ｓ１８）。画像表示エリア１５０３の任意の画像１５０３ａを指示すれば、拡大表示エリア１５０４に拡大して表示される。なお、拡大表示エリア１５０４の初期画像は先頭画像である。次いで、「展開」ボタン１５０５を指示して（ステップＳ１５−２）、画像表示エリア１５０３に表示されている画像データのすべてを、サービス処理手段４０の注文処理に反映させる。例えば、画像表示エリア６０２のサンプル画像データと入れ替わり、名刺表・裏のサンプル画像データの画像と入れ替わる（ステップＳ１９）。「展開」ボタン１５０５の指示によって画像データの入れ替えが実行されると、体験モードは解除され、通常の注文操作へと切り替わる。なお、１５０６を指示すれば、画像選択画面が消え、画像読み取り時の操作画面が表示される。
【００６４】
（別実施形態）
上記の実施形態において、サンプル画像データを用いた注文操作について説明したが、これに限定されず、注文装置はサンプル画像データおよび顧客の画像データを用いずに注文操作を実行するように構成できる。例えば、図１７に示すように、画面上部分にプリント編集画面が表示され、画面下分部に画像選択画面が表示される。破線で示す名刺画像エリア６０１ｄには、サンプル画像データが挿入されていない状態である。この状態においてもプリント編集画面の操作を実行でき、文字エリア６０１ｃに氏名等の文字入力操作や、次のステップの注文操作を実行できる。また、画面下部の画像選択画面の「展開」ボタン１５０５を指示して、メディアＡから画像１５０３ａ（１５０４に拡大表示されている）を読み取り、名刺画像エリア６０１ｄに挿入することができる。また、上述のように絞込み検索で絞り込まれた画像データを画像エリア６０２、名刺画像エリア６０１ｄに読み込むことができる。
【符号の説明】
【００６５】
１      注文装置
１０    メディア駆動部
１２    モニター
１３    タッチパネル
２０    基本処理手段
２１    基本ＧＵＩ部
２１１  属性表示部
２１２  一覧表示部
２２    基本制御部
２２１  検知部
２２２  属性読取部
２２３  属性グループ化部
２２４  画像読取部
２２５  絞込み検索部
２２６  展開部
３０    共有ライブラリ手段
４０    サービス処理手段
４１    サービスＧＵＩ部
４２    サービス制御部
４２１  体験モード制御部
【図１】
2010225030.tif 000003
【図２】
2010225030.tif 000004
【図３】
2010225030.tif 000005
【図４】
2010225030.tif 000006
【図５】
2010225030.tif 000007
【図６】
2010225030.tif 000008
【図７】
2010225030.tif 000009
【図８】
2010225030.tif 000010
【図９】
2010225030.tif 000011
【図１０】
2010225030.tif 000012
【図１１】
2010225030.tif 000013
【図１２】
2010225030.tif 000014
【図１３】
2010225030.tif 000015
【図１４】
2010225030.tif 000016
【図１５】
2010225030.tif 000017
【図１６】
2010225030.tif 000018
【図１７】
2010225030.tif 000019